(57)【要約】 【課題】  ラックへの取付けが容易であると共に、簡素な構成により良好な制振効果が得られるラック用制振装置を提供する。【解決手段】  ラック５０に取り付けられるケーシング１０と、ケーシング１０の底面Ｓに沿って転動可能に設けられた転動体２０とを備え、ケーシング１０の底面Ｓは、ケーシング１０の中央部から内壁面に向けて上方に傾斜する傾斜面１４ａ〜１４ｄを備えるラック用制振装置１であり、ラック５０の上面等に取り付けることができる。【選択図】  図２
2014058998.tif 000002
【特許請求の範囲】
【請求項１】
ラックに取り付けられるケーシングと、
前記ケーシングの底面に沿って転動可能に設けられた転動体とを備え、
前記ケーシングの底面は、前記ケーシングの中央部から内壁面に向けて上方に傾斜する傾斜面を備えるラック用制振装置。
【請求項２】
前記転動体は、球体からなり、
前記ケーシングの内壁面は、平面視矩形状となるように連接された４つの平面部を備えており、
前記傾斜面は、前記ケーシングの中央部から前記各平面部に向けて拡がりながら直線状に傾斜する４つの案内傾斜部を備える請求項１に記載のラック用制振装置。
【請求項３】
前記ケーシングの下面から下方に突出する係合部材を更に備え、
前記係合部材は、前記ケーシングがラックの上面に載置された状態で、ラックの側壁角部に係合する請求項１または２に記載のラック用制振装置。
【発明の詳細な説明】
【技術分野】
【０００１】
本発明は、電子機器等を収容するラックに取り付けられるラック用制振装置に関する。
【背景技術】
【０００２】
ラックに多段に収容されたディスクアレイ装置やサーバ機器、通信機器等の電子機器を地震等の揺れから保護するため、ラック用制振装置が従来から知られている。例えば、特許文献１に開示された制振ユニットは、ラックに着脱可能に搭載されるラックマウント型の支持体と、支持体に支持される重りと、支持体および重りに連結されるコイルばねとを備えており、この制振ユニットをラックの最上段に挿入することで、横揺れによるラックの振動を抑制することができる。
【先行技術文献】
【非特許文献】
【０００３】
【特許文献１】特開２００７−１４８７６３号公報
【発明の概要】
【発明が解決しようとする課題】
【０００４】
上記従来の制振ユニットは、ラックの共振周波数に応じてコイルばねのばね定数や重りの重量を設定する必要があるため、汎用化が困難であるという問題があった。また、コイルばねの長さがある程度必要になることから制振ユニットが大型化し易いため、ラックの内部に十分な収容スペースが存在しない場合や、ラックの上面に電線やケーブルの取出部が存在する場合には、制振ユニットの取付けが困難になるという問題もあった。
【０００５】
そこで、本発明は、ラックへの取付けが容易であると共に、簡素な構成により良好な制振効果が得られるラック用制振装置の提供を目的とする。
【課題を解決するための手段】
【０００６】
本発明の前記目的は、ラックに取り付けられるケーシングと、前記ケーシングの底面に沿って転動可能に設けられた転動体とを備え、前記ケーシングの底面は、前記ケーシングの中央部から内壁面に向けて上方に傾斜する傾斜面を備えるラック用制振装置により達成される。
【０００７】
このラック用制振装置において、前記転動体は、球体からなり、前記ケーシングの内壁面は、平面視矩形状となるように連接された４つの平面部を備えており、前記傾斜面は、前記ケーシングの中央部から前記各平面部に向けて拡がりながら直線状に傾斜する４つの案内傾斜部を備えることが好ましい。
【０００８】
また、前記ケーシングの下面から下方に突出する係合部材を更に備え、前記係合部材は、前記ケーシングがラックの上面に載置された状態で、ラックの側壁角部に係合するように構成することが好ましい。
【発明の効果】
【０００９】
本発明によれば、ラックへの取付けが容易であると共に、簡素な構成により良好な制振効果が得られるラック用制振装置を提供することができる。
【図面の簡単な説明】
【００１０】
【図１】本発明の一実施形態に係るラック用制振装置を一部切り欠いて示す平面図である。
【図２】図１に示すラック用制振装置の縦断面図である。
【図３】図１に示すラック用制振装置の底面図である。
【図４】図１に示すラック用制振装置をラックに取り付けた状態を示す斜視図である。
【図５】実施例および比較例について入力地震動の振動数と振動伝達率との関係を示す図である。
【図６】本発明の他の実施形態に係るラック用制振装置を一部切り欠いて示す平面図である。
【発明を実施するための形態】
【００１１】
以下、本発明の実施の形態について、添付図面を参照して説明する。図１は、本発明の一実施形態に係るラック用制振装置を示す平面図であり、図２および図３は、このラック用制振装置の縦断面図および底面図である。図１から図３に示すように、ラック用制振装置１は、ケーシング１０と、ケーシング１０に収容された転動体２０とを備えている。ケーシング１０は、上部が開口する有底の筐体であり、開口が蓋体３０により覆われている。なお、図１においては、蓋体３０の一部を切り欠いた状態で示している。
【００１２】
ケーシング１０の内壁面は、平面視が正方形状となるように連接された４つの平面部１１ａ，１１ｂ，１１ｃ，１１ｄから構成されている。ケーシング１０の底部には、この底部と略同じ大きさのトレイ１２が収容されており、トレイ１２の内部に傾斜部材１４が嵌合されている。ケーシング１０は、本実施形態においては鋼板により形成しているが、合成樹脂など他の材料で形成することもできる。ケーシング１０の内壁面には、ゴム板等の弾性板を配置してもよい。
【００１３】
傾斜部材１４は、正方形状の底部を有する升状体からなり、底部が上部となる向きでトレイ１２内に設けられている。升状体の底部（上部）は、対角線で分割された４つの案内片１４ａ，１４ｂ，１４ｃ，１４ｄから構成されている。各案内片１４ａ〜１４ｄは、ケーシング１０の中央部から各平面部１１ａ〜１１ｄに向けて拡がり、それぞれ平面部１１ａ〜１１ｄ側において支持されるように平面視三角形状に形成されている。これら案内片１４ａ〜１４ｄは、三角形状の頂部を下方に折り曲げることにより、ケーシング１０の中央部から各平面部１１ａ〜１１ｄに向けて上方に直線状に傾斜しており、それぞれの上面が案内傾斜部を形成している。すなわち、ケーシング１０の底面Ｓは、中央部から各平面部１１ａ〜１１ｄに向けて、一定の角度で斜め上方に案内する４つの案内傾斜部１４ａ，１４ｂ，１４ｃ，１４ｄによって構成されている。
【００１４】
トレイ１２内における案内片１４ａ〜１４ｄの下方には、ブロック状の支持部材１６が設けられている。支持部材１６は、各案内片１４ａ〜１４ｄの頂部が上面に当接することで、案内傾斜部１４ａ〜１４ｄの所定の傾斜角度を保持している。トレイ１２、傾斜部材１４および支持部材１６は、ボルトからなる締結具（図示せず）によってケーシング１０内に固定されている。
【００１５】
転動体２０は、球状体からなり、各案内傾斜部１４ａ〜１４ｄに沿って転動可能となるように、ケーシング１０の内壁面との間に若干の隙間を形成する大きさとされている。転動体２０の材料も特に限定されないが、鋳鉄や鋼鉄等の比重が大きい材料であることが好ましい。
【００１６】
図３に示すように、ケーシング１０の下面には、下方に突出する係合部材４０が設けられている。係合部材４０は、Ｌ字状の部材であり、ケーシング１０の下面における２辺に沿って互いに直交するように延びる２つの当接部４０ａ，４０ｂから構成されている。ケーシング１０の下面には、ラックに取り付けるためのねじ孔１９が形成されている。
【００１７】
上記の構成を備えるラック用制振装置１は、図４に示すように、ラック５０の上部四隅にそれぞれ取り付けることができる。すなわち、ラック５０の上面にケーシング１０を載置した状態で係合部材４０をラック５０の側壁角部５２に係合させ、各当接部４０ａ，４０ｂをそれぞれラック５０の側壁に当接させることにより、ラック５０に対するラック用制振装置１の位置決めを行った後、ラック５０の上面に形成された天井孔（図示せず）を介してケーシング１０のねじ孔１９（図３参照）にボルトをねじ込むことで、ラック用制振装置１がラック５０に固定される。ラック５０の上記天井孔は、例えば、ラック５０を吊り下げ支持する際に使用する吊下用リングを取り付けるための取付孔など既存のものを利用してもよく、あるいは、ラック用制振装置１を取り付けるために新たに形成してもよい。また、ラック用制振装置１をラック５０に確実に取り付けることが可能であれば、接着など他の取付手段を使用してもよい。
【００１８】
本実施形態のラック用制振装置１によれば、ケーシング１０の底面Ｓが、ケーシング１０の中央部から内壁面に向けて上方に傾斜するように形成されているため、平常時においては、転動体２０を、ケーシング１０の中央部に確実に保持することができる。したがって、ケーシング１０の内壁面と転動体２０との間に若干の隙間を形成するだけで、地震等でラック５０に揺れが生じた場合に、転動体２０をケーシング１０の底面Ｓに沿って転動させてケーシング１０の内壁面に確実に衝突させることができるので、ラック５０の振動を効果的に抑制しつつ、ラック用制振装置１の小型化を図ることができ、ラック５０への取付時の制約を受け難くすることができる。例えば、図４に示すようにラック５０の上面中央にケーブル等の取出部５４を有する場合に、この取出部５４との干渉を回避してラック用制振装置１をラック５０の上部隅部等に取り付けることができ、取り付けを容易にすることができる。
【００１９】
また、本実施形態のように、ケーシング１０の中央部から各平面部１１ａ〜１１ｄに向けて拡がりながら直線状に傾斜する４つの案内傾斜部１４ａ〜１４ｄを備える構成にすることで、転動体２０の転動方向を、案内傾斜部１４ａ〜１４ｄに沿って正確に案内することができる。したがって、ラック５０の揺れ方向に合わせて、転動体２０を各平面部１１ａ〜１１ｄのいずれかに確実に衝突させることができるので、制振効果をより高めることができる。
【００２０】
また、ラック５０の側壁角部５２に係合する係合部材４０を備えることにより、複数のラック用制振装置１をラック５０の上部隅部に容易且つ確実に取り付けることができるので、複数のラック用制振装置１による良好な制振効果を得やすくすることができる。本実施形態のラック用制振装置１は、ラック５０に複数取り付けた場合に、転動体２０の初期位置がいずれもケーシング１０の中央部であることから、ラック５０の最初の揺れで発生する転動体２０の衝撃力のタイミングを全てのラック用制振装置１で略一定にすることができるので、この点からも、より良好な制振効果を得ることができる。
【００２１】
図５は、本実施形態のラック用制振装置１をラック５０に取り付けて、振動５弱相当の地震動をラック５０に与えた場合の、入力地震動の周波数と振動伝達率との関係を示すグラフである。ラック用制振装置１を取り付けない場合を比較例として、ケーシング（箱）の大きさと、転動体（錘）の質量および個数、ケーシングの内壁面に対するゴム板の有無をパラメータとして、実施例１から実施例５までの実験を行ったところ、比較例では５Ｈｚで振動伝達率のピークが生じているのに対し、実施例１から実施例５ではこの振動伝達率のピークがいずれも分散されており、良好な制振効果が得られていることがわかる。
【００２２】
以上、本発明の一実施形態について詳述したが、本発明の具体的な態様は上記実施形態には限定されない。例えば、４つの平面部１１ａ〜１１ｄからなるケーシング１０の内壁面の形状は、本実施形態では平面視正方形状としているが、平面視長方形状であってもよい。この内壁面の形状は、一般的なラック５０の平面形状に合わせて平面視矩形状であることが好ましいが、ラック５０の平面形状が三角形状等である場合には、ケーシング１０の内壁面の形状もこれに合わせた形状とすることが好ましく、例えば、平面視三角形状や多角形状等とすることができる。更に、ケーシング１０の内壁面の形状は、複数の平面部を連接した構成以外に、例えば、円筒状や球状など湾曲面形状であってもよい。ケーシング１０の底面に設けられた傾斜面は、本実施形態の形状以外に、すり鉢状や断面円弧状等であってもよい。ラック５０に対するケーシング１０の取り付け位置は、取り付けスペースの確保が容易なケーシング１０の上面であることが好ましいが、必ずしもラック５０の上面に限定されるものではなく、例えば、上記特許文献１に開示された制振ユニットと同様に、ラックの内部に設置することも可能である。
【００２３】
また、転動体２０の形状は、球状以外に円筒状であってもよい。例えば、図６に示すように、ラック５０の平面形状が扁平な矩形状である場合には、ラック５０の主な搖動方向である矢示Ａ方向のみに転動体２０が転動可能となるように、転動体２０を円筒形状にしてもよく、傾斜部材１１４は、ケーシング１０の中央部から矢示Ａ方向両側の平面部１１ａ，１１ｃに向けて上方に傾斜する案内傾斜部１１４ａ，１１４ｃを備える構成にしてもよい。なお、図６において、図１等と同様の構成部分には、同一の符号を付している。このような構成を備えるラック用制振装置１を、例えば、ラック５０の上面５０ａにおける長手方向両側にそれぞれ配置することによっても、良好な制振性能を得ることができる。
【符号の説明】
【００２４】
１  ラック用制振装置
１０  ケーシング
１１ａ，１１ｂ，１１ｃ，１１ｄ  平面部
１４ａ，１４ｂ，１４ｃ，１４ｄ  案内傾斜部（案内片）
２０  転動体
４０  係合部材
５０  ラック
５２  側壁角部
Ｓ  ケーシングの底面
【図１】
2014058998.tif 000003
【図２】
2014058998.tif 000004
【図３】
2014058998.tif 000005
【図４】
2014058998.tif 000006
【図５】
2014058998.tif 000007
【図６】
2014058998.tif 000008